(57)【要約】【課題】マルチスピーカーを用いることにより、テレビジョン受信機の音声出力に電気的な指向性を持たせ、室内の音声空間を分割することが可能なテレビジョン受信機システムを提供する。【解決手段】リモコン装置２００内にマイクロフォン２０１を設置し、視聴位置において集音した信号を参照信号としてマルチスピーカー１７０の前段に設置された指向性制御用乗算器１５０の係数を調整することにより、スピーカー１７０の角度を物理的に動かすことなく、音声出力に指向性を持たせる。【選択図】図１
2007104060.tif 000002
【特許請求の範囲】
【請求項１】
装置本体と操作手段を備えるテレビジョン装置において、前記装置本体に備えられた少なくとも２つのスピーカーと、前記操作手段に備えられた集音用マイクロフォンと、前記集音用マイクロフォンにて集音される音声信号に基づいて、前記スピーカーの音声出力の指向性制御を行う手段とを備えることを特徴とするテレビジョン受信機システム。
【請求項２】
スピーカーから前記操作装置までの音響特性を推定する推定手段と、
前記推定手段によって推定された前記音響特性を有する適応フィルタをさらに備えることを特徴とする請求項１記載のテレビジョン受信機システム。
【請求項３】
指向性制御と音響特性の推定に用いられる同定用信号発生部と、スピーカーから出力される音声をテレビジョン音声と同定用信号の切り替えを行う手段とをさらに備えることを特徴とする請求項２記載のテレビジョン受信機システム。
【請求項４】
同定用信号は白色信号であることを特徴とする請求項３記載のテレビジョン装置。
【請求項５】
前記指向性制御と前記音響特性の推定の精度を検出する手段をさらに備え、
前記精度検出手段によって得られる精度情報に基づいて前記指向性制御と前記音響特性の推定の続行、終了を判断することを特徴とする請求項３記載のテレビジョン受信機システム。
【請求項６】
不揮発メモリをさらに備え、指向性制御と音響特性の推定結果を保存することが可能であることを特徴とする請求項３記載のテレビジョン受信機システム。
【発明の詳細な説明】
【技術分野】
【０００１】
本発明は、テレビジョン受信機システムに係り、詳しくは、マルチスピーカーとデジタル信号処理を用いて電気的に音声の指向性を制御する機能を有するテレビジョン受信機システムに関するものである。
【背景技術】
【０００２】
近年、テレビジョン受信機はこれまでのアナログ放送に加えてデジタル放送も開始される等に対応して多チャンネル化や高画質化の追及や周辺機器の制御や双方向通信の実現等でテレビジョン受信機システムとして様々に進化している。音声についても同様であり、ステレオやマルチスピーカーでサラウンド音響や臨場感溢れ、迫力ある音声を再現しようとしている。特に、フロントに３チャンネルプラスウーハーとリアスピーカー２個で構成されるドルビー５．１ｃｈと呼ばれる音響システムを搭載した製品も見られるようになってきた。
【０００３】
上述したようにテレビジョン受信機システムは、音声再生においてはマルチスピーカー化が進行しており、テレビジョン受信機システムが再生する音声を、より迫力があって立体的な音響空間を実現するかに注力されている。
【０００４】
しかしながら、一般的にテレビジョン受信機システムが設置される室内は、テレビジョン受信機を視聴するスペースと音響空間を共有する別の活動空間がある場合が多々ある。例えば、家庭内のリビングダイニングルームにおけるリビングスペースとダイニングスペースである。リビングスペースに大画面のテレビジョン受信機システムを設置している場合テレビジョン受信機システムの視聴位置はリビングスペースにあり、ダイニングスペースではないことが多い。
【０００５】
このような場合、室内空間的にはリビングスペースとダイニングスペースで空間を共有しているので音響空間もまた共有していると見ることができる。即ち、音響空間を共有する複数の活動スペースが存在し、それぞれの活動スペースは複数の人間により同時に使用される機会も多く、それぞれの活動スペースで活動しているそれぞれの人々にとっては、互いに相手側の活動スペースから放出される音声は不要な音声であるにも拘らず音響空間を共有しているために、互いの音声が混じり合うのが普通である。特に、それぞれのスペースにテレビジョン受信機等の音声出力機器が備えられ、同時に別々の音声ソース再生により別々の音声が出力される場合等ではそれぞれのスペースにおける所望の音声が聞き取りにくくなってしまう。
【０００６】
このため、空間を共有する複数の活動ペースがある場合でも互いの音声が交じり合わないように、相手側の音声の音圧レベル（音量）を気にならないレベルまで下げることで所望する音声Ｓ／Ｎ比を改善し聞き取り易くする快適な視聴空間を得ることが望まれている。
【０００７】
この課題に対し、アクティブノイズコントロールの原理を用いて不要な音声の音圧レベルを小さくする、マルチスピーカーを有するテレビジョン受信機システムが公知である（例えば、特許文献１参照）。
【０００８】
このシステムでは、上述した課題に対して、テレビジョン受信機の音声と同振幅逆位相の音声を、テレビジョン受信機システムとは別のスピーカーからテレビジョン受信機システムの音を消したい領域に放出し、消音地点でテレビジョン受信機システムの音を打ち消すことで音声の音圧レベルを小さくすることが可能である。
【特許文献１】特開２００４−７０３９号公報
【発明の開示】
【発明が解決しようとする課題】
【０００９】
しかしながら、（特許文献１）に記載のマルチスピーカーを有するテレビジョン受信機システムでは、テレビジョン受信機セットとは別に、消音用のスピーカーを設置する必要があった。
【００１０】
また、上記システムを有効に動作させるためにはテレビジョン受信機の視聴位置とは異なる消音位置に、一旦集音マイクを移動させる必要があった。
【００１１】
さらには、（特許文献１）のようなシステムを動作させた場合、消音用スピーカーから消音用音声が出力されるため、消音地点以外では余計に騒音源が増えてしまうという問題もあった。
【００１２】
本発明は上記事情を鑑みてなされたもので、テレビジョン受信機の音声出力に指向性を持たせることにより、視聴者以外の方向の音声の音圧レベルを減衰させ、室内の音声空間を分割するシステムを提供する。
【課題を解決するための手段】
【００１３】
本発明のテレビジョン装置は、装置本体に備わった２つ以上のスピーカーと、視聴者によって操作される操作装置に備わった集音用マイクロフォンと、集音用マイクロフォンにて集音される音声信号に基づいて、スピーカーの音声出力の指向性制御を行う手段を備えることを特徴とするものである。
【００１４】
また本発明のテレビジョン装置は、スピーカーから操作装置までの音響特性を推定する推定手段と、推定手段によって推定された音響特性を有する適応フィルタとをさらに備えることを特徴とするものである。
【００１５】
また本発明のテレビジョン装置は、指向性制御と音響特性の推定に用いられる同定用信号発生部と、スピーカーから出力される音声を、テレビ音声と同定用信号の切り替えを行う手段とをさらに備えることを特徴とするものである。
【００１６】
また本発明のテレビジョン装置は、同定用信号は、白色信号であることを特徴とするものである。
【００１７】
また本発明のテレビジョン装置は、指向性制御と音響特性の推定の精度を検出する手段をさらに備え、精度検出手段によって得られる精度情報に基づいて指向性制御と音響特性の推定の続行、終了を判断することを特徴とするものである。
【００１８】
また本発明のレビジョン装置は、不揮発メモリをさらに備え、前記指向性制御と前記音響特性の推定結果を保存することが可能であることを特徴とするものである。
【発明の効果】
【００１９】
本発明によれば、テレビジョン受信機の音声出力に電気的に指向性を持たせることができるため、視聴者以外への方向の音圧レベルを減衰させ、室内の音声空間を分割することが可能となる。
【発明を実施するための最良の形態】
【００２０】
（実施の形態１）
図１は、本発明の実施の形態１にかかる音声の指向性制御機能を有するテレビジョン受信機システムを示すブロック図である。
【００２１】
テレビジョン受信機１００は、主電源スイッチ１０１と、マイコン１０２と、不揮発メモリ１０３と、テレビジョン映像出力部１０５と、テレビジョン映像表示部１０６と、テレビジョン音声出力部１１０と、スピーカー出力切り替え部１２０と、同定用信号発生部１３０と、Ａ／Ｄ変換部１４０と、指向性制御用乗算器１５０、指向性制御用乗算器１５５と、Ｄ／Ａ変換機１６０、Ｄ／Ａ変換機１６５と、スピーカー１７０，スピーカー１７５と、適応信号処理部１８０と、リモコン受信部１９０及びリモコン装置２００から構成される。
【００２２】
また、図２は上記適応信号処理部１８０の詳細構成を示す図である。
【００２３】
図２に示すように適応信号処理部１８０は、音響特性推定用誤差検出部１８１と、音響特性推定用信号処理部１８２と、音響特性推定用適応フィルタ１８３と、指向性制御用誤差検出部１８４及び指向性制御用信号処理部１８５から構成される。
【００２４】
また、図３はリモコン装置２００の詳細構成図を示す図である。図３に示すように、リモコン装置２００は集音用マイクロフォン２０１と、Ａ／Ｄ変換部２０２及びリモコン送信部２０３から構成される。
【００２５】
また図４は、本発明の実施の形態にかかる音声の指向性制御機能を有するテレビジョン受信機システムの動作の流れを示したフローチャートである。
【００２６】
以下に図１、図２、図３及び図４を用いて本テレビジョン受信機システムの動作説明をする。
【００２７】
まず、視聴者はテレビジョン受信機１００の主電源スイッチ１０１を用いて、テレビジョン受信機１００の電源を入れる（ステップ１）。テレビジョン受信機１００内のマイコン１０２は、電源が入るとテレビジョン映像出力部１０５からテレビジョン映像信号を出力し、出力された映像信号はテレビジョン映像表示部１０６にて表示される。また、マイコン１０２は、テレビジョン音声出力部１１０からテレビジョン音声信号を出力し、スピーカー出力切り替え部１２０をテレビジョン音声出力部１１０に切り替える。このスピーカー出力切り替え部１２０は、テレビジョン音声出力部１１０の出力信号と、後述する同定用信号発生部１３０の出力信号のどちらかをスピーカー１７０、スピーカー１７５から出力するかを選択するものである。
【００２８】
テレビジョン音声出力部１１０から出力されるテレビジョンの音声信号は、Ａ／Ｄ変換部１４０に入力されてデジタルデータに変換される。Ａ／Ｄ変換部１４０から出力されたテレビジョン音声のデジタルデータは、指向性制御用乗算器１５０と指向性制御用乗算器１５５でそれぞれ重み付けが行われた後に、おのおのＤ／Ａ変換部１６０、Ｄ／Ａ変換部１６５でアナログデータに再変換され、スピーカー１７０、スピーカー１７５から出力される（ステップ２）。
【００２９】
指向性制御用乗算器１５０と指向性制御用乗算器１５５は、Ａ／Ｄ変換部１４０から出力された音声のデジタルデータに、それぞれある特性の重み付けをすることにより、スピーカー１７０、スピーカー１７５の角度を物理的に動かすことなく音声の出力に指向性をもたせるものである。
【００３０】
テレビジョン受信機１００の電源がオンになった直後は、指向性制御用乗算器１５０、指向性制御用乗算器１５５で付加される重みは初期値に設定されており、スピーカー１７０，スピーカー１７５から出力される音声は指向性を有していない。
【００３１】
次に、視聴者がテレビジョン受信機システムの音声出力の指向性制御を行う場合について説明する。
【００３２】
視聴者は視聴する位置おいてリモコン装置２００に備えられている同定キー（図示せず）を押下する（ステップ４）。ここで同定とは、後述する音響特性推定用適応フィルタ１８３と、指向性制御用乗算器１５０、指向性制御用乗算器１５５の係数を算出することを意味する。同定キーを押下すると、スピーカー出力切り替え部１２０が、テレビジョン音声出力部１１０からの信号から同定用信号発生部１３０からの信号を出力するように切り替わる（ステップ５、ステップ６）。
【００３３】
同定用信号発生部１３０は、スピーカー１７０またはスピーカー１７５から、視聴者の位置までの音響特性である、音響特性推定用適応フィルタ１８３の同定と、指向性制御用乗算器１５０と指向性制御用乗算器１５５の係数を求めるために用いられる同定信号を発生するものである。
【００３４】
なお、スピーカー１７０、スピーカー１７５から出力されるあらゆる周波数帯域の音声の指向性制御を行うために、同定用信号発生部１３０から出力される同定用信号は、あらゆる周波数成分を含んだ白色信号であることが望ましい。
【００３５】
同定用信号発生部１３０から出力される信号は、Ａ／Ｄ変換部１４０に入力され、デジタルデータに変換される。Ａ／Ｄ変換部１４０から出力された同定用信号のデジタルデータは、指向性制御用乗算器１５０、指向性制御用乗算器１５５及び適応信号処理部１８０に入力される。
【００３６】
同定用信号のデジタルデータは、指向性制御用乗算器１５０、指向性制御用乗算器１５５に入力され、重み付けが行なわれた後にＤ／Ａ変換部１６０、Ｄ／Ａ変換部１６５にてアナログデータに再変換され、スピーカー１７０、スピーカー１７５から音声として出力される。指向性制御用乗算器１５０、指向性制御用乗算器１５５において適切な重み付けが行なわれると、スピーカー１７０、スピーカー１７５から出力される音声信号の位相の適切な調整が行なわれ、スピーカー１７０、スピーカー１７５から出力される音声信号に指向性を持たせることが可能となる。すなわち、スピーカーの位置を物理的に動かすことなく、テレビジョン装置の出力信号を視聴者の方向にのみ向けることが可能となる。
【００３７】
スピーカー１７０、スピーカー１７５から出力された同定用信号は、視聴位置にあるリモコン装置２００内に設置された集音用マイクロフォン２０１に入力される。集音用マイクロフォン２０１では、室内の障害物や反射などの影響により劣化した同定用信号が受信される。従って、集音用マイクロフォンの目的は、スピーカー１７０、スピーカー１７５から出力された音声信号が、視聴者の位置でどのように変化しているのかを知るためのものである。
【００３８】
図３において、集音用マイクロフォン２０１にて集音された音声は、Ａ／Ｄ変換部２０２に入力され、デジタルデータに変換された後にリモコン送信部２０３を経て、テレビジョン受信機１００内に設置されたリモコン受信部１９０に入力される。リモコン受信部１９０に入力された集音用マイクロフォン２０１にて集音された音声のデジタルデータは、適応信号処理部１８０へ入力される。
【００３９】
上述のように、適応信号処理部１８０には、同定用信号のデジタルデータ及び集音用マイクロフォン２０１にて集音した視聴位置での同定用信号の音声データのデジタルデータが入力される。
【００４０】
次に、図２を用いて適応信号処理部１８０について詳細に説明する。適応信号処理部１８０の役割は、音声の指向性制御を行なう指向性制御用乗算器１５０、指向性制御用乗算器１５５の係数を算出することである。指向性の制御を行なうということは、テレビ音声の出力を視聴者の方向に向けることを意味し、指向性制御用乗算器１５０、指向性制御用乗算器１５５の適切な係数を算出すると、スピーカー１７０、スピーカー１７５の向きを物理的に変化させることなく、テレビ音声の出力方向を変化させることができる。
【００４１】
指向性制御用乗算器１５０、指向性制御用乗算器１５５の係数を算出するためには、スピーカー１７０、スピーカー１７５から出力された音声信号が、視聴環境（室内環境）の影響を受けて視聴者の位置でどのように変化（劣化）しているのかを知る必要がある。従って、音声の指向性制御のまずはじめのステップとして、スピーカー１７０及びスピーカー１７５から視聴位置であるリモコン装置２００内の集音用マイクロフォン２０１までの室内の音響特性を、音響特性推定用適応フィルタ１８３を用いて同定する必要がある。
【００４２】
音響特性推定用適応フィルタ１８３には、（ステップ６）でスピーカー１７０、スピーカー１７５からリモコン装置２００に出力される同定用信号と同じ同定用信号が入力される。従って、音響特性推定用適応フィルタ１８３の出力信号は、リモコン装置２００の集音用マイクロフォン２０１での集音信号であるとみなすことができる。
【００４３】
音響特性推定用誤差検出部１８１では、音響特性推定用適応フィルタ１８３の出力信号と、リモコン装置２００から送信された信号とが入力される。すなわち、音響特性推定用適応フィルタ１８３の出力と、スピーカー１７０、スピーカー１７５から出力されたあと視聴位置で集音された信号との差分が抽出される。
【００４４】
音響特性推定用誤差検出部１８１で検出される誤差が小さければ小さいほど、音響特性推定用フィルタ１８３で推定した室内の音響特性と、スピーカー１７０、スピーカー１７５から視聴位置までの実際の室内の音響特性とが近似していることになる。
【００４５】
次に音響特性推定用信号処理部１８２では、音響特性推定用誤差検出部１８１で検出される誤差信号が小さくなるように、同定用信号のデジタルデータを用いて音響特性推定用適応フィルタ１８３のフィルタ係数を、例えば「ＬＭＳアルゴリズム」などを用いて更新する（ステップ７）。
【００４６】
上述したように、音響特性推定用適応フィルタ１８３の出力信号は、集音用マイクロフォン２０１での集音信号であるとみなすことができる。よって音響特性推定用適応フィルタ１８３が、スピーカー１７０及びスピーカー１７５から視聴位置までの室内の音響特性を十分な精度で同定できると、音響特性推定用適応フィルタ１８３の出力信号は、集音用マイクロフォン２０１で集音した信号とほぼ一致するため、音響特性推定用誤差検出部１８１で検出する値は小さなものになる。
【００４７】
従って、音響特性推定用誤差検出部１８１にて検出される誤差パワーが一定値以下になると、音響特性推定用適応フィルタ１８３は十分な精度で室内の音響特性を同定できたと判断し、音響特性推定用信号処理部１８２は演算を終了し、システムは音声の指向性制御のステップへと移行する（ステップ８、ステップ９）。
【００４８】
音響特性の同定が終了すると、指向性制御用乗算器１５０、指向性制御用乗算器１５５の係数算出の演算が開始される。視聴位置への音声の指向性制御を行なうということは、視聴位置であるリモコン装置２００内の集音用マイクロフォン２０１で集音される信号が、スピーカー１７０、スピーカー１７５から出力される音声信号と同じであるということと等価である。従って指向性制御用誤差検出部１８４では、スピーカー１７０、スピーカー１７５の出力信号である同定用信号のデジタルデータと、リモコン装置２００から送信された集音用マイクロフォン２０１にて集音された音声のデジタルデータとの差分を抽出する。
【００４９】
指向性制御用信号処理部１８５では、指向性制御用誤差検出部１８４で検出される誤差信号パワーが小さくなるように、音響特性推定用適応フィルタ１８３の出力信号を用いて、指向性制御用乗算器１５０、指向性制御用乗算器１５５の乗算係数を、例えば、「Ｆｉｌｔｅｒｅｄ−ｘ ＬＭＳアルゴリズム」などを用いて更新する（ステップ１０）。指向性制御用誤差検出部１８４で検出される誤差信号のパワーが一定値以下になると、指向性制御用乗算器１５０、１５５は十分な精度での指向性制御が完了したと判断し、音声の指向性制御を終了する（ステップ１２）。
【００５０】
音声の指向性制御が終了すると、テレビジョン映像表示部１０６に、現在計算したフィルタ係数を保存するかどうかを表示させる（ステップ１３）。視聴者がリモコン装置２００に設置された保存ボタン（図示せず）を押下すると、マイコン１０２は不揮発メモリ１０３に音響特性推定用適応フィルタ１８３のフィルタ係数と、指向性制御用乗算器１５０、指向性制御用乗算器１５５の乗算係数を保存する（ステップ１４）。
【００５１】
上記動作が終了するとマイコン１０２は、スピーカー出力切り替え部１２０のスイッチを同定用信号発生部１３０からテレビジョン音声出力部１１０に再び切り替え、テレビジョン受信機１００内のスピーカー１７０、スピーカー１７５からは、視聴者の方向に指向性制御されたテレビジョン音声信号が出力される（ステップ３）。
【００５２】
以上のように、本実施の形態では、スピーカー１７０、スピーカー１７５というマルチスピーカーを用い、それぞれのスピーカー出力に前記指向性制御用乗算器１５０、指向性制御用乗算器１５５のような電気的な指向性制御を加えることにより、テレビジョン受信機の音声出力に電気的な指向性を持たせ、室内の音声空間を分割するという効果を得ることができる。その結果、テレビ視聴者以外にとっては不要な雑音であるテレビ音声の音圧レベルを低減し、テレビ視聴者以外の所望する音声Ｓ／Ｎ比を改善するという効果を奏することができるものである。
【００５３】
（実施の形態２）
図５は、本発明の第２の実施の形態例における音声の指向性制御機能を有するテレビジョン受信機システムを示すブロック図である。
【００５４】
テレビジョン受信機５００は、主電源スイッチ１０１と、マイコン１０２と、不揮発メモリ１０３と、テレビジョン映像出力部１０５と、テレビジョン映像表示部１０６と、テレビジョン音声出力部１１０と、スピーカー出力切り替え部１２０と、同定用信号発生部１３０と、Ａ／Ｄ変換部１４０と、指向性制御用適応フィルタ１５１、１５６と、Ｄ／Ａ変換機１６０、１６５と、スピーカー１７０，１７５と、適応信号処理部１８０と、リモコン受信部１９０及びリモコン装置２００から構成される。リモコン装置２００の詳細構成は、（実施の形態１）の図３と同様である。
【００５５】
また、図６は適応信号処理部２８０の詳細構成を示す図である。図６に示すように、適応信号処理部２８０は音響特性推定用誤差検出部１８１と、音響特性推定用信号処理部１８２と、音響特性推定用適応フィルタ１８３と、指向性制御用誤差検出部１８４と、指向性制御用信号処理部１８５及び周波数特性補正用遅延器１８６から構成される。
【００５６】
（実施の形態１）との違いは、（実施の形態１）のテレビジョン受信機１００の指向性制御用乗算器１５０、指向性制御用乗算器１５５がそれぞれ、指向性制御用適応フィルタ１５１、指向性制御用適応フィルタ１５６に変わったことと、（実施の形態１）の適応信号処理部１８０に周波数特性補正用遅延器１８６が追加されたことである。
【００５７】
周波数特性補正用遅延器１８６は、指向性制御用適応フィルタ１５１、指向性制御用適応フィルタ１５６の導入に伴って必要となる。（実施の形態１）において、指向性制御用乗算器１５０、指向性制御用乗算器１５５では、音声の指向性制御のみを行なっている。しかし、本実施の形態における指向性制御用適応フィルタ１５１、指向性制御用適応フィルタ１５６では、音声の指向性制御に加えて、スピーカーの周波数特性および室内環境による音声の劣化の補正を行なう。
【００５８】
スピーカーの周波数特性や、室内の環境による音声の劣化の補正を行なうためには、指向性制御用信号処理部１８５において、スピーカーの周波数特性や、スピーカーから視聴位置までの物理的な距離の影響による音声の時間遅延を考慮して演算を行なう必要がある。この音声遅延を補償するために、本実施の形態においては周波数特性補正用遅延器１８６を導入する。
【００５９】
（実施の形態１）で用いた指向性制御用乗算器１５０及び指向性制御用乗算器１５５を、本実施の形態の指向性制御用適応フィルタ１５１、指向性制御用適応フィルタ１５６のようなフィルタに変更することにより、本実施の形態のテレビジョン受信機システムでは、音声の指向性制御に加えて、スピーカーや視聴室内の周波数特性を補正することが可能となる。
【００６０】
すなわち本実施の形態を用いると、音声の指向性制御と同時に、周波数特性の良くないスピーカーや、障害物などの影響により劣化する音声信号を補正することが可能となり、より高音質な音声を視聴者に届けることが可能となる。
【００６１】
周波数特性補正用遅延器１８６は、上述のように周波数特性の補正をより正確に実施するために追加したものである。指向性制御用適応フィルタ１５１、指向性制御用適応フィルタ１５６のフィルタ係数を算出する際、同定用信号は、周波数特性補正用遅延器１８６に入力され、適切な遅延が加えられてから指向性制御用誤差検出部１８４に入力される。そして、指向性制御用誤差検出部１８４では、遅延された同定用信号とリモコン集音信号との誤差を検出し、指向性制御用信号処理部１８５は、この誤差パワーが小さくなるように指向性制御用適応フィルタ１５１、指向性制御用適応フィルタ１５６の更新を行う。
【００６２】
上記の他の動作に関しては、（実施の形態１）と同様である。全てのステップが終了すると、テレビジョン受信機１００内のスピーカー１７０、スピーカー１７５からは、視聴者の方向に指向性制御され、さらに周波数特性を補正した高音質なテレビジョン音声信号が出力される。
【００６３】
以上のように、本実施の形態では、スピーカー１７０、スピーカー１７５というマルチスピーカーを用い、それぞれのスピーカーの出力前信号に前記指向性制御用適応フィルタ１５１、指向性制御用適応フィルタ１５６にてフィルタリング処理を加えた後に音声出力することにより、テレビジョン受信機の音声出力に電気的な指向性を持たせ、室内の音声空間を分割するとともに、スピーカーの周波数特性や室内環境の影響などにより劣化した音声信号を補正し、視聴者の位置において高音質な音声信号を視聴する事ができると言う効果を得ることができる。
【００６４】
その結果、テレビ視聴者は視聴位置において高音質なテレビ音声を視聴することができ、さらにテレビ視聴者以外にとっては不要な雑音であるテレビ音声の音圧レベルを低減し、テレビ視聴者以外の所望する音声Ｓ／Ｎ比を改善するという効果を奏することができるものである。
【産業上の利用可能性】
【００６５】
本発明は、複数の音源が近くにある状況において、特定の音声を特定の場所に効率よく伝えることを可能とするもので、テレビジョン受信機、ラジオ、コンピュータ、またはステレオ等に用いることが可能である。
【図面の簡単な説明】
【００６６】
【図１】本発明の（実施の形態１）におけるマルチスピーカーを有するテレビジョン受信機システムの構成を示すブロック図
【図２】本発明の（実施の形態１）におけるマルチスピーカーを有するテレビジョン受信機システムのうち、適応信号処理部の詳細な構成を示すブロック図
【図３】本発明の（実施の形態１）におけるマルチスピーカーを有するテレビジョン受信機システムのうち、リモコン装置の詳細な構成を示すブロック図
【図４】本発明の（実施の形態１）におけるマルチスピーカーを有するテレビジョン受信機システムの処理の流れを示すフローチャート
【図５】本発明の（実施の形態２）におけるマルチスピーカーを有するテレビジョン受信機システムの構成を示すブロック図
【図６】本発明の（実施の形態２）におけるマルチスピーカーを有するテレビジョン受信機システムのうち、適応信号処理部の詳細な構成を示すブロック図
【符号の説明】
【００６７】
１００、５００    テレビジョン受信機
１０１    主電源スイッチ
１０２    マイコン
１０３    不揮発メモリ
１０５    テレビジョン映像出力部
１０６    テレビジョン映像表示部
１１０    テレビジョン音声出力部
１２０    スピーカー出力切り替え部
１３０    同定用信号発生部
１４０    Ａ／Ｄ変換部
１５０    指向性制御用乗算器
１５１    指向性制御用適応フィルタ
１５５    指向性制御用乗算器
１５６    指向性制御用適応フィルタ
１６０    Ｄ／Ａ変換部
１６５    Ｄ／Ａ変換部
１７０、１７５    スピーカー
１８０、２８０    適応信号処理部
１８１    音響特性推定用誤差検出部
１８２    音響特性推定用信号処理部
１８３    音響特性推定用適応フィルタ
１８４    指向性制御用誤差検出部
１８５    指向性制御用信号処理部
１８６    周波数特性補正用遅延器
１９０    リモコン受信部
２００    リモコン装置
２０１    集音用マイクロフォン
２０２    Ａ／Ｄ変換部
２０３    リモコン送信部
【図１】
2007104060.tif 000003
【図２】
2007104060.tif 000004
【図３】
2007104060.tif 000005
【図４】
2007104060.tif 000006
【図５】
2007104060.tif 000007
【図６】
2007104060.tif 000008